(57)【特許請求の範囲】
【請求項１】
楽曲データが記録されたディスクの再生を行うディスク再生装置とディジタルデータラインを介して接続され、当該再生される楽曲データを記録用のディスクに記録するディスク録音再生装置であって、
前記ディスク再生装置からディジタルデータラインを介して送られる、アーティスト名を含むテキスト情報を取得する情報取得手段と、
前記情報取得手段が取得したテキスト情報からアーティスト名をデコードするデコード手段と、
前記デコード手段によりデコードされたアーティスト名を順次記憶するアーティスト情報記憶手段と、
前記アーティスト情報記憶手段に記憶されたアーティスト名の一覧を表示する表示手段と、
前記表示手段に表示されたアーティスト名の中から対象のアーティスト名を選択する選択手段と、
前記選択手段により選択されたアーティスト名を含むディスク情報を、記録用のディスクに登録する登録手段と、
を備えることを特徴とするディスク録音再生装置。
【請求項２】
楽曲データが記録されたディスクの再生を行うディスク再生装置とディジタルデータラインを介して接続され、当該再生される楽曲データを記録用のディスクに記録するディスク録音再生装置であって、
前記ディスク再生装置からディジタルデータラインを介して送られる、ディスクタイトル及びメッセージを含むテキスト情報を取得する情報取得手段と、
前記情報取得手段が取得したテキスト情報からメッセージをデコードするデコード手段と、
前記デコード手段によりデコードされたメッセージを順次記憶するメッセージ情報記憶手段と、
前記メッセージ情報記憶手段に記憶されたメッセージの一覧を表示する表示手段と、
前記表示手段に表示されたメッセージの中から対象のメッセージを選択する選択手段と、
前記選択手段により選択されたメッセージが付加されたディスクタイトルを含むディスク情報を、記録用のディスクに登録する登録手段と、
を備えることを特徴とするディスク録音再生装置。
【請求項３】
前記情報取得手段は、前記ディスク再生装置にてＣＤテキストディスクが再生される際に送られるテキスト情報を取得する、
ことを特徴とする請求項１又は２に記載のディスク録音再生装置。
【請求項４】
楽曲データが記録されたディスクの再生を行うディスク再生装置とディジタルデータラインを介して接続され、当該再生される楽曲データを記録用のディスクに記録するディスク録音再生装置におけるディスク情報登録方法であって、
ディスク再生装置からディジタルデータラインを介して送られる、アーティスト名を含むテキスト情報を取得する情報取得ステップと、
前記情報取得ステップにて取得されたテキスト情報からアーティスト名をデコードするデコードステップと、
前記デコード手段によりデコードされたアーティスト名を所定の記憶部に順次格納するアーティスト情報格納ステップと、
前記アーティスト情報格納ステップにて格納されたアーティスト名の一覧を表示する表示ステップと、
前記表示ステップにて表示されたアーティスト名の中から対象のアーティスト名を選択する選択ステップと、
前記選択ステップにて選択されたアーティスト名を含むディスク情報を、記録用のディスクに登録する登録ステップと、
を備えることを特徴とするディスク情報登録方法。
【請求項５】
楽曲データが記録されたディスクの再生を行うディスク再生装置とディジタルデータラインを介して接続され、当該再生される楽曲データを記録用のディスクに記録するディスク録音再生装置におけるディスク情報登録方法であって、
ディスク再生装置からディジタルデータラインを介して送られる、ディスクタイトル及びメッセージを含むテキスト情報を取得する情報取得ステップと、
前記情報取得ステップにて取得されたテキスト情報からメッセージをデコードするデコードステップと、
前記デコード手段によりデコードされたメッセージを所定の記憶部に順次格納するメッセージ情報格納ステップと、
前記メッセージ情報格納ステップにて記憶部に格納されたメッセージの一覧を表示する表示ステップと、
前記表示ステップにて表示されたメッセージの中から対象のメッセージを選択する選択ステップと、
前記選択ステップにて選択されたメッセージが付加されたディスクタイトルを含むディスク情報を、記録用のディスクに登録する登録ステップと、
を備えることを特徴とするディスク情報登録方法。
【請求項６】
楽曲データが記録されたディスクの再生を行うディスク再生装置とディジタルデータラインを介して接続され、当該再生される楽曲データを記録用のディスクに記録するディスク録音再生装置におけるディスク情報登録方法をコンピュータに実行させるためのプログラムを記録した記録媒体であって、ディスク再生装置からディジタルデータラインを介して送られる、アーティスト名を含むテキスト情報を取得する情報取得ステップと、前記情報取得ステップにて取得されたテキスト情報からアーティスト名をデコードするデコードステップと、前記デコード手段によりデコードされたアーティスト名を所定の記憶部に順次格納するアーティスト情報格納ステップと、前記アーティスト情報格納ステップにて格納されたアーティスト名の一覧を表示する表示ステップと、前記表示ステップにて表示されたアーティスト名の中から対象のアーティスト名を選択する選択ステップと、前記選択ステップにて選択されたアーティスト名を含むディスク情報を、記録用のディスクに登録する登録ステップと、を有するディスク情報登録方法をコンピュータに実行させるためのプログラムを記録したコンピュータ読み取り可能な記録媒体。
【請求項７】
楽曲データが記録されたディスクの再生を行うディスク再生装置とディジタルデータラインを介して接続され、当該再生される楽曲データを記録用のディスクに記録するディスク録音再生装置におけるディスク情報登録方法をコンピュータに実行させるためのプログラムを記録した記録媒体であって、ディスク再生装置からディジタルデータラインを介して送られる、ディスクタイトル及びメッセージを含むテキスト情報を取得する情報取得ステップと、前記情報取得ステップにて取得されたテキスト情報からメッセージをデコードするデコードステップと、前記デコード手段によりデコードされたメッセージを所定の記憶部に順次格納するメッセージ情報格納ステップと、前記メッセージ情報格納ステップにて記憶部に格納されたメッセージの一覧を表示する表示ステップと、前記表示ステップにて表示されたメッセージの中から対象のメッセージを選択する選択ステップと、前記選択ステップにて選択されたメッセージをディスクタイトルに付加したディスク情報を、記録用のディスクに登録する登録ステップと、を有するディスク情報登録方法をコンピュータに実行させるためのプログラムを記録したコンピュータ読み取り可能な記録媒体。
【発明の詳細な説明】
【０００１】
【発明の属する技術分野】
この発明は、任意の楽曲が録音されたＭＤ（ミニディスク）等にディスク情報を容易に登録することのできるディスク録音再生装置、ディスク情報登録方法及び記録媒体に関する。
【０００２】
【従来の技術】
音楽用ＣＤ（コンパクトディスク）やＭＤ（ミニディスク）等の普及に伴い、ＭＤプレーヤに代表されるディスク再生装置がポピュラーな音楽再生機器の１つとして広まっている。このディスク再生装置は、ＭＤ等に記録された複数の楽曲を、各楽曲に対応して定められたトラック番号によって管理する。そして、このトラック番号を使用して多彩な再生をすることができる。
例えば、ディスク再生装置は、プログラム再生機能により、利用者により選択されたトラック番号に対応する楽曲を選ばれた順番に再生できる。また、ランダム再生機能により、乱数により選ばれたトラック番号の楽曲を順次再生できる。
【０００３】
また、録音可能なＭＤ（ＭＤ−ＭＯ；ＭＤ  Ｍａｇｎｅｔ  Ｏｐｔｉｃａｌ等）を記録媒体として格納された際に、このＭＤに任意の楽曲を録音することのできるディスク録音再生装置も知られている。このディスク録音再生装置は、ＭＤの有するプログラムエリアに複数の楽曲データを記録でき、また、ＭＤの有するＵ−ＴＯＣ（Ｕｓｅｒ’ｓ  Ｔａｂｌｅ  Ｏｆ  Ｃｏｎｔｅｎｔｓ）に、ディスクタイトル及びトラック番号毎のトラックタイトル等からなるディスク情報を登録することができる。
例えば、ディスク録音再生装置は、利用者からの録音指示に従って、所定のオーディオ入力端子を介して取得した楽曲データをＭＤの有するプログラムエリアに記録する。また、利用者から入力されたディスクタイトル及びトラックタイトル等からなるディスク情報を所定の操作部を介して取得し、取得したディスク情報をＭＤの有するＵ−ＴＯＣに登録する。
そして、ディスク録音再生装置は、ＭＤに記録された楽曲データの再生時等に、Ｕ−ＴＯＣに登録されたディスク情報を所定の表示部に表示する。
【０００４】
一方、ＣＤにおける新しい規格として、ＣＤテキスト規格が定められ、このＣＤテキスト規格に準拠したＣＤテキストディスクが普及しつつある。このＣＤテキストディスクは、ディスクタイトルや各楽曲のアーティスト名だけでなく、作詞者、作曲者、及びメッセージ等の詳細なテキストデータが予め記録されたＣＤである。
このようなＣＤテキストディスクは、ＣＤテキスト規格に対応したＣＤプレーヤ等のディスク再生装置において再生される。この場合、ディスク再生装置は、ＣＤテキストディスクが装填されると、記録されたテキストデータを読み出して所定の表示部に表示する。
【０００５】
このようなＣＤテキストディスクをディスク再生装置にて再生し、再生した楽曲を所定のケーブルを介して接続されたディスク録音再生装置にてＭＤに録音するといった取り扱いが利用者によりなされる場合がある。
例えば、据え置き型のディスク再生装置及び、携帯型のディスク録音再生装置を所有する利用者が、ＣＤテキストディスクに記録された楽曲を屋外にて楽しむことができるように、ＣＤテキストディスクの楽曲をＭＤにダビングする場合等である。この場合、ディスク録音再生装置は、ディスク再生装置が再生した楽曲データを取得し、取得した楽曲データをＭＤの有するプログラムエリアに記録することができる。
【０００６】
【発明が解決しようとする課題】
上述したＣＤテキストディスクの楽曲をＭＤにダビングする場合、一般に、ディスク録音再生装置が、ＣＤテキストディスクに記録されたテキストデータを取得等できないため、利用者は、ＭＤにディスク情報を登録する際に、１文字毎に全ての文字を入力する必要があった。
すなわち、利用者は、ディスク録音再生装置が有する所定の操作部を介して、ディスクタイトル及びトラックタイトル等を全文字入力し、ディスク情報を登録する必要があり、極めて煩雑であった。
【０００７】
このような煩雑さを解消するために、ディスク録音再生装置にてＣＤテキストディスクに記録されたテキストデータを取得できるようにし、必要なテキストデータをディスク録音再生装置が取得した際に、取得したテキストデータをディスク情報として、無条件にＭＤに登録することも考えられる。
【０００８】
しかしながらこの場合、ＭＤに登録されるディスク情報の内容が固定的に定まってしまうため、自由度がなくなってしまう。そのため、利用者の好みによるディスク情報を登録する場合、例えば、ディスクタイトルにサブタイトルを付加するような場合、必要なサブタイトル等を全文字追加して入力し、ディスク情報を更新する必要があり、利用者にとって依然として煩雑であった。
【０００９】
また、取得したテキストデータの一部がディスク情報としてＭＤに登録できるようになったとしても、テキストデータが記録されていない通常のＣＤをディスク再生装置にて再生し、再生した楽曲をＭＤに録音する場合に、ディスク録音再生装置は、当然にテキストデータを取得することができない。そのため、利用者は、所定の操作部を介して、結局、ディスクタイトル及びトラックタイトル等を全文字入力し、ディスク情報を登録する必要があり、煩雑であることに変わりがなかった。
【００１０】
この発明は、上記実状に鑑みてなされたもので、ＭＤ等にディスク情報を容易に登録することのできるディスク録音再生装置、ディスク情報登録方法及び記録媒体を提供することを目的とする。
【００１１】
【課題を解決するための手段】
上記目的を達成するため、本発明の第１の観点に係るディスク録音再生装置は、
楽曲データが記録されたディスクの再生を行うディスク再生装置とディジタルデータラインを介して接続され、当該再生される楽曲データを記録用のディスクに記録するディスク録音再生装置であって、
前記ディスク再生装置からディジタルデータラインを介して送られる、アーティスト名を含むテキスト情報を取得する情報取得手段と、
前記情報取得手段が取得したテキスト情報からアーティスト名をデコードするデコード手段と、
前記デコード手段によりデコードされたアーティスト名を順次記憶するアーティスト情報記憶手段と、
前記アーティスト情報記憶手段に記憶されたアーティスト名の一覧を表示する表示手段と、
前記表示手段に表示されたアーティスト名の中から対象のアーティスト名を選択する選択手段と、
前記選択手段により選択されたアーティスト名を含むディスク情報を、記録用のディスクに登録する登録手段と、
を備えることを特徴とする。
【００１４】
上記目的を達成するため、本発明の第２の観点に係るディスク録音再生装置は、
楽曲データが記録されたディスクの再生を行うディスク再生装置とディジタルデータラインを介して接続され、当該再生される楽曲データを記録用のディスクに記録するディスク録音再生装置であって、
前記ディスク再生装置からディジタルデータラインを介して送られる、ディスクタイトル及びメッセージを含むテキスト情報を取得する情報取得手段と、
前記情報取得手段が取得したテキスト情報からメッセージをデコードするデコード手段と、
前記デコード手段によりデコードされたメッセージを順次記憶するメッセージ情報記憶手段と、
前記メッセージ情報記憶手段に記憶されたメッセージの一覧を表示する表示手段と、
前記表示手段に表示されたメッセージの中から対象のメッセージを選択する選択手段と、
前記選択手段により選択されたメッセージが付加されたディスクタイトルを含むディスク情報を、記録用のディスクに登録する登録手段と、
を備えることを特徴とする。
【００１５】
前記情報取得手段は、前記ディスク再生装置にてＣＤテキストディスクが再生される際に送られるテキスト情報を取得してもよい。
【００１６】
上記目的を達成するため、本発明の第３の観点に係るディスク情報登録方法は、
楽曲データが記録されたディスクの再生を行うディスク再生装置とディジタルデータラインを介して接続され、当該再生される楽曲データを記録用のディスクに記録するディスク録音再生装置におけるディスク情報登録方法であって、
ディスク再生装置からディジタルデータラインを介して送られる、アーティスト名を含むテキスト情報を取得する情報取得ステップと、
前記情報取得ステップにて取得されたテキスト情報からアーティスト名をデコードするデコードステップと、
前記デコード手段によりデコードされたアーティスト名を所定の記憶部に順次格納するアーティスト情報格納ステップと、
前記アーティスト情報格納ステップにて格納されたアーティスト名の一覧を表示する表示ステップと、
前記表示ステップにて表示されたアーティスト名の中から対象のアーティスト名を選択する選択ステップと、
前記選択ステップにて選択されたアーティスト名を含むディスク情報を、記録用のディスクに登録する登録ステップと、
を備えることを特徴とする。
【００１７】
上記目的を達成するため、本発明の第４の観点に係るディスク情報登録方法は、
楽曲データが記録されたディスクの再生を行うディスク再生装置とディジタルデータラインを介して接続され、当該再生される楽曲データを記録用のディスクに記録するディスク録音再生装置におけるディスク情報登録方法であって、
ディスク再生装置からディジタルデータラインを介して送られる、ディスクタイトル及びメッセージを含むテキスト情報を取得する情報取得ステップと、
前記情報取得ステップにて取得されたテキスト情報からメッセージをデコードするデコードステップと、
前記デコード手段によりデコードされたメッセージを所定の記憶部に順次格納するメッセージ情報格納ステップと、
前記メッセージ情報格納ステップにて記憶部に格納されたメッセージの一覧を表示する表示ステップと、
前記表示ステップにて表示されたメッセージの中から対象のメッセージを選択する選択ステップと、
前記選択ステップにて選択されたメッセージが付加されたディスクタイトルを含むディスク情報を、記録用のディスクに登録する登録ステップと、
を備えることを特徴とする。
【００１９】
上記目的を達成するため、本発明の第５の観点に係る記録媒体は、
楽曲データが記録されたディスクの再生を行うディスク再生装置とディジタルデータラインを介して接続され、当該再生される楽曲データを記録用のディスクに記録するディスク録音再生装置におけるディスク情報登録方法をコンピュータに実行させるためのプログラムを記録した記録媒体であって、ディスク再生装置からディジタルデータラインを介して送られる、アーティスト名を含むテキスト情報を取得する情報取得ステップと、前記情報取得ステップにて取得されたテキスト情報からアーティスト名をデコードするデコードステップと、前記デコード手段によりデコードされたアーティスト名を所定の記憶部に順次格納するアーティスト情報格納ステップと、前記アーティスト情報格納ステップにて格納されたアーティスト名の一覧を表示する表示ステップと、前記表示ステップにて表示されたアーティスト名の中から対象のアーティスト名を選択する選択ステップと、前記選択ステップにて選択されたアーティスト名を含むディスク情報を、記録用のディスクに登録する登録ステップと、を有するディスク情報登録方法をコンピュータに実行させるためのプログラムを記録する。
【００２１】
上記目的を達成するため、本発明の第６の観点に係る記録媒体は、
楽曲データが記録されたディスクの再生を行うディスク再生装置とディジタルデータラインを介して接続され、当該再生される楽曲データを記録用のディスクに記録するディスク録音再生装置におけるディスク情報登録方法をコンピュータに実行させるためのプログラムを記録した記録媒体であって、ディスク再生装置からディジタルデータラインを介して送られる、ディスクタイトル及びメッセージを含むテキスト情報を取得する情報取得ステップと、前記情報取得ステップにて取得されたテキスト情報からメッセージをデコードするデコードステップと、前記デコード手段によりデコードされたメッセージを所定の記憶部に順次格納するメッセージ情報格納ステップと、前記メッセージ情報格納ステップにて記憶部に格納されたメッセージの一覧を表示する表示ステップと、前記表示ステップにて表示されたメッセージの中から対象のメッセージを選択する選択ステップと、前記選択ステップにて選択されたメッセージをディスクタイトルに付加したディスク情報を、記録用のディスクに登録する登録ステップと、を有するディスク情報登録方法をコンピュータに実行させるためのプログラムを記録する。
【００２２】
【発明の実施の形態】
本発明の実施の形態にかかるディスク録音再生装置について、以下図面を参照して説明する。
【００２３】
図１は、この発明の実施の形態に適用されるディスク録音再生装置を含んだシステムの一例を示すブロック図である。このシステムは、ディスク録音再生装置１とディスク再生装置２とが通信ライン３及びディジタルデータライン４を介して接続されて構成される。
【００２４】
まず、ディスク録音再生装置１について説明する。このディスク録音再生装置１は、処理制御部１０１と、信号処理回路１０２と、スピンドルサーボ回路１０３と、光ピックアップ１０４と、トラッキングスレッドサーボ回路１０５と、ＣＤテキストデコーダ１０６と、キー入力部１０７と、表示部１０８と、メモリ１０９と、磁気ヘッドドライバ１１０と、バッファ１１１と、ＤＡＣ１１２とから構成される。
【００２５】
このディスク録音再生装置１は、例えば、図２に示すような、録音・再生が可能なＭＤ（ミニディスク）１０を記録媒体とする録音再生機器である。なお、ＭＤ１０は、図２に示すような円盤状の光磁気ディスクを有し、図示せぬシャッター機構を備えたカートリッジ内に収納されている。そして、ＭＤ１０は、光磁気ディスク上に、ディスクタイトル及びトラックタイトル等からなるディスク情報を登録することのできるＵ−ＴＯＣ（Ｕｓｅｒ’ｓ  Ｔａｂｌｅ  Ｏｆ  Ｃｏｎｔｅｎｔｓ）１１と、複数の楽曲データを記録することができるプログラムエリア１２とを含んで構成される。
【００２６】
図１に戻って、処理制御部１０１は、ＣＰＵ（Ｃｅｎｔｒａｌ  Ｐｒｏｃｅｓｓｉｎｇ  Ｕｎｉｔ）及び周辺ＬＳＩ（Ｌａｒｇｅ  Ｓｃａｌｅ  Ｉｎｔｅｇｒａｔｉｏｎ）を含んだ１チップマイコン等からなり、ディスク録音再生装置１全体を制御する。
すなわち、処理制御部１０１は、信号処理回路１０２等を制御し、ディジタルデータライン４を介してディスク再生装置２から取得した楽曲データをＭＤ１０のプログラムエリア１２に記録する。また、処理制御部１０１は、信号処理回路１０２を介してＣＤテキストデコーダ１０６を制御し、ディジタルデータライン４を介してディスク再生装置２から取得したテキストデータをデコードし、デコードしたテキストデータ等をメモリ１０９に記憶する。
【００２７】
更に、処理制御部１０１は、メモリ１０９に記憶している後述するメッセージテーブル等の内容を表示部１０８に表示すると共に、キー入力部１０７を介して利用者から選択されるメッセージ等を取得する。そして、取得したメッセージを付加したディスクタイトル等をディスク情報としてＭＤ１０のＵ−ＴＯＣ１１に記録（登録）する。
【００２８】
信号処理回路１０２は、スピンドルサーボ回路１０３、光ピックアップ１０４、トラッキングスレッドサーボ回路１０５及び、磁気ヘッドドライバ１１０等を制御する。そして、信号処理回路１０２は、光ピックアップ１０４を介して、ＭＤ１０に記録された楽曲データ等を読み出す。そして、読み出した楽曲データを復号し、復号した楽曲データをＤＡＣ１１２に供給する。また、信号処理回路１０２は、磁気ヘッドドライバ１１０等を介して、ＭＤ１０にディスク情報等を記録する。
更に、信号処理回路１０２は、ＣＤテキストデコーダ１０６を制御し、ディジタルデータライン４を介してディスク再生装置２から取得したテキストデータをデコードし、デコードしたテキストデータを処理制御部１０１に供給する。
【００２９】
スピンドルサーボ回路１０３は、ＭＤ１０を搭載する所定のターンテーブルを回転させるための図示せぬスピンドルモータを駆動制御し、所定の回転速度で回転駆動させる。
【００３０】
光ピックアップ１０４は、楽曲の再生時に、所定の波長のレーザ光をＭＤ１０の記録面に向けて照射し、その反射光を受けて電気信号に変換する。光ピックアップ１０４は、変換した電気信号を楽曲データ等として信号処理回路１０２に供給する。また、光ピックアップ１０４は、録音時に、レーザ光をＭＤ１０の記録面に向けて照射し、キュリー点以上になるまで加熱する。
【００３１】
トラッキングスレッドサーボ回路１０５は、光ピックアップ１０４をＭＤ１０の径方向に平行移動させるための図示せぬスレッドモータを駆動制御し、光ピックアップ１０４をＭＤ１０の記録面上の所定の位置へ移動させる。
【００３２】
ＣＤテキストデコーダ１０６は、ディジタルデータライン４を介してディスク再生装置２から送られたＣＤテキスト規格に準拠したテキストデータをデコードし、デコードしたテキストデータを処理制御部１０１に供給する。
【００３３】
キー入力部１０７は、所定のボタンスイッチやロータリスイッチ等からなり、利用者の操作に従った指示情報等を入力し、入力した情報を処理制御部１０１に供給する。例えば、キー入力部１０７は、利用者の操作に従って、アルファベット等の文字コードを１文字毎に入力し、処理制御部１０１に順次供給する。
【００３４】
表示部１０８は、ＬＣＤ（Ｌｉｑｕｉｄ  Ｃｒｙｓｔａｌ  Ｄｉｓｐｌａｙ）パネル等からなり、処理制御部１０１に制御され、操作状況等を利用者に明らかにするための文字列等を表示する。また、表示部１０８は、処理制御部１０１等が取得したＭＤ１０に記録されたディスク情報等を表示する。
【００３５】
メモリ１０９は、ＲＡＭ（Ｒａｎｄｏｍ  Ａｃｃｅｓｓ  Ｍｅｍｏｒｙ）又は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）等からなり、図３に示すようなアーティストテーブル９１及び、図４に示すようなメッセージテーブル９２等を記憶する。
これらのアーティストテーブル９１及びメッセージテーブル９２は、後述するテーブル更新処理等により、ディジタルデータライン４を介してディスク再生装置２から取得したテキストデータに含まれる所定の情報を記憶するテーブルである。
【００３６】
なお、アーティストテーブル９１は、後述するデータ入力処理にて、利用者によるアーティスト名の選択の際に使用される。また、メッセージテーブル９２は、後述するデータ編集処理にて、ディスクタイトル等に付加するためのサブタイトルの選択の際に使用される。
【００３７】
図１に戻って、磁気ヘッドドライバ１１０は、図示せぬ磁気ヘッドを制御する。すなわち、磁気ヘッドドライバ１１０は、楽曲の録音時に、磁気ヘッドを制御し、光ピックアップ１０４によりキュリー点以上にまで加熱されたＭＤ１０の記録面の所定箇所を磁化することにより、楽曲データをＭＤ１０に記録する。
【００３８】
バッファ１１１は、ＲＡＭ等からなり、楽曲の再生時に、ＭＤ１０から順次読み出した楽曲データを一時的に記憶する。また、録音時に、ディジタルデータライン４を介してディスク再生装置２から順次送られる楽曲データを一時的に記憶する。
【００３９】
ＤＡＣ（デジタル／アナログコンバータ）１１２は、信号処理回路１０２から供給されたデジタルの楽曲データをアナログの楽曲信号に変換し、変換した楽曲信号を所定のアンプ及びスピーカ等を介して音声（楽曲）として出力する。
【００４０】
次に、ディスク再生装置２について説明する。ディスク再生装置２は、例えば、ＣＤ（コンパクトディスク）を再生対象の記録媒体とする再生機器であり、処理制御部２０１と、信号処理回路２０２と、スピンドルサーボ回路２０３と、光ピックアップ２０４と、トラッキングスレッドサーボ回路２０５と、表示部２０６と、キー入力部２０７と、ＤＡＣ２０８とから構成される。なお、このディスク再生装置２は、複数のＣＤが収納できる収納部から、対象のＣＤを随時引き出して所定のターンテーブル上に搭載することのできるディスクチェンジャ等を更に備えてもよい。
【００４１】
処理制御部２０１は、ＣＰＵ及び周辺ＬＳＩを含んだ１チップマイコン等からなり、ディスク再生装置２全体を制御する。すなわち、処理制御部２０１は、信号処理回路２０２等を制御して、ＣＤに記録された楽曲データを読み出し、読み出した楽曲データをディジタルデータライン４を介してディスク録音再生装置１に供給する。また、処理制御部２０１は、再生対象のＣＤがＣＤテキストディスクである場合、ＣＤテキストディスクに記録されているテキストデータを読み出して、ディジタルデータライン４を介してディスク録音再生装置１に供給する。
【００４２】
信号処理回路２０２は、スピンドルサーボ回路２０３、光ピックアップ２０４及び、トラッキングスレッドサーボ回路２０５等を制御する。そして、光ピックアップ２０４を介して、再生対象のＣＤに記憶された楽曲データ等を読み出す。信号処理回路２０２は、読み出した楽曲データを復号し、復号した楽曲データをディジタルデータライン４を介してディスク録音再生装置１に供給する。
【００４３】
スピンドルサーボ回路２０３は、ＣＤを搭載する所定のターンテーブルを回転させるための図示せぬスピンドルモータを駆動制御し、所定の回転速度で回転駆動させる。
【００４４】
光ピックアップ２０４は、所定の波長のレーザ光をＣＤの記録面に設けられたピット等に向けて照射し、その反射光を受けて電気信号に変換する。光ピックアップ２０４は、変換した電気信号を楽曲データ等として信号処理回路２０２に供給する。
【００４５】
トラッキングスレッドサーボ回路２０５は、光ピックアップ２０４をＣＤの径方向に平行移動させるための図示せぬスレッドモータを駆動制御し、光ピックアップ２０４をＣＤの記録面上の所定の位置へ移動させる。
【００４６】
表示部２０６は、ＬＣＤパネル等からなり、処理制御部２０１に制御され、操作状況等を利用者に明らかにするための文字列等を表示する。
【００４７】
キー入力部２０７は、所定のボタンスイッチやロータリスイッチ等からなり、利用者の操作に従った指示情報等を入力し、入力した情報を処理制御部２０１に供給する。
【００４８】
ＤＡＣ２０８は、信号処理回路２０２から送られたデジタルの楽曲データをアナログの楽曲信号に変換し、変換した楽曲信号を所定のアンプ及びスピーカ等を介して音声（楽曲）として出力する。
【００４９】
以下、この発明の実施の形態にかかるディスク録音再生装置１等の動作を、図面を参照して説明する。
最初に、ディスク録音再生装置１のメモリ１０９に記憶されるアーティストテーブル９１及びメッセージテーブル９２を更新するテーブル更新処理等について説明する。図５は、ディスク録音再生装置１が行うテーブル更新処理及び、ディスク再生装置２が行うデータ送信処理を説明するためのフローチャートである。図５に示すテーブル更新処理及びデータ送信処理は、ＭＤ１０がディスク録音再生装置１に装填され、そして、ＣＤテキストディスク等がディスク再生装置２に装填された後に、開始される。
【００５０】
まず、ディスク録音再生装置１の処理制御部１０１は、ディスク再生装置２から送られるデータを受信することができる状態であるか否かを判別する（ステップＳ１１）。すなわち、処理制御部１０１は、自己に通信ライン３及びディジタルデータライン４が接続され、更に通信ライン３等がディスク再生装置２とも接続された状態であるか否かを判別する。
【００５１】
処理制御部１０１は、データ受信可能でないと判別した場合、テーブル更新処理を終了する。一方、データ受信可能であると判別した場合、処理制御部１０１は、テキストデータの送信をディスク再生装置２に依頼する（ステップＳ１２）。すなわち、処理制御部１０１は、テキストデータの送信を依頼するための所定の情報を通信ライン３を介してディスク再生装置２に送信する。
【００５２】
対するディスク再生装置２の処理制御部２０１は、テキストデータの送信依頼の情報を取得したか否かを判別する（ステップＳ２１）。
【００５３】
処理制御部２０１は、送信依頼の情報を取得しなかったと判別した場合、データ送信処理を終了する。一方、送信依頼の情報を取得したと判別した場合、処理制御部２０１は、再生対象のＣＤがＣＤテキストディスクであるか否かを判別する（ステップＳ２２）。
【００５４】
処理制御部２０１は、ＣＤテキストディスクでないと判別した場合、通常のＣＤである旨を示す所定の返信データを生成する（ステップＳ２３）。一方、再生対象のＣＤがＣＤテキストディスクであると判別した場合、処理制御部２０１は、記録されているテキストデータを読み出す（ステップＳ２４）。
【００５５】
処理制御部２０１は、ステップＳ２３にて生成した返信データ又は、ステップＳ２４にて読み出したテキストデータのいずれかを通信ライン３を介してディスク録音再生装置１に送信する（ステップＳ２５）。データを送信後、処理制御部２０１は、データ送信処理を終了する。
【００５６】
そしてディスク録音再生装置１側において、処理制御部１０１は、ディスク再生装置２から送られたデータを受信する（ステップＳ１３）。
【００５７】
処理制御部１０１は、受信したデータがテキストデータであるか否かを判別する（ステップＳ１４）。
【００５８】
処理制御部１０１は、テキストデータでないと判別した場合、テーブル更新処理を終了する。一方、受信したデータがテキストデータであると判別した場合、処理制御部１０１は、同一のデータをメモリ１０９に記憶済みであるか否かを判別する（ステップＳ１５）。すなわち、処理制御部１０１は、メモリ１０９に記憶しているアーティストテーブル９１及びメッセージテーブル９２に、受信したテキストデータに含まれる対応するデータが存在するか否かを判別する。
【００５９】
処理制御部１０１は、同一のデータを記憶済みであると判別した場合、テーブル更新処理を終了する。一方、同一のデータを記憶していないと判別した場合、処理制御部１０１は、アーティストテーブル９１及びメッセージテーブル９２をそれぞれ更新する（ステップＳ１６）。
すなわち、処理制御部１０１は、ディスク再生装置２から取得したテキストデータに含まれるアーティスト名をアーティストテーブル９１に追加し、また、テキストデータに含まれるメッセージをメッセージテーブル９２に追加し、追加後の内容でアーティストテーブル９１等をメモリ１０９に記憶する。なお、処理制御部１０１は、アーティストテーブル９１を更新する際に、アーティスト名について昇順にソートした後、メモリ１０９に記憶する。
【００６０】
このように、アーティストテーブル９１及びメッセージテーブル９２は、ディスク再生装置２から取得したテキストデータにより、逐次更新される。そして、更新後のアーティストテーブル９１は、後述するデータ入力処理にて、利用者によるアーティスト名の選択の際に使用される。また、メッセージテーブル９２は、後述するデータ編集処理にて、ディスクタイトル等に付加するためのメッセージの選択の際に使用される。
【００６１】
次に、利用者から入力されたディスクタイトル等を登録するディスク情報登録処理について説明する。図６は、ディスク録音再生装置１が行うディスク情報登録処理を説明するためのフローチャートである。
図６に示すディスク情報登録処理は、ディスク録音再生装置１がディスク再生装置２から取得した楽曲データをＭＤ１０に記録した後に、開始される。
【００６２】
まず、処理制御部１０１は、現在の動作モードがディスク情報登録モードであるか否かを判別する（ステップＳ３１）。すなわち、処理制御部１０１は、利用者からディスク情報の登録を指示する指示情報がキー入力部１０７を介して入力されたことにより、動作モードがディスク情報登録モードとなっているか否かを判別する。
【００６３】
処理制御部１０１は、動作モードがディスク情報登録モードでないと判別した場合、特に何も処理せずにディスク情報登録処理を終了する。一方、ディスク情報登録モードであると判別した場合、処理制御部１０１は、上述のテーブル更新処理にて、テキストデータを取得しているか否かを判別する（ステップＳ３２）。すなわち、処理制御部１０１は、ディスク再生装置２にて再生された記録媒体がＣＤテキストディスクであったか否かを判別する。
【００６４】
処理制御部１０１は、テーブル更新処理にてテキストデータを取得していないと判別した場合、データ入力処理を実行する（ステップＳ３３）。一方、テキストデータを取得していると判別した場合、処理制御部１０１は、データ編集処理を実行する（ステップＳ３４）。
【００６５】
以下、これらのデータ入力処理及び、データ編集処理について、図面を参照して説明する。図７はデータ入力処理を説明するためのフローチャートであり、また、図８はデータ編集処理を説明するためのフローチャートである。
【００６６】
まず、図７に示すデータ入力処理について説明する。
処理制御部１０１は、利用者から入力されるディスクタイトルを１文字毎に取得する（ステップＳ４１）。すなわち、処理制御部１０１は、ディスクタイトルの入力を促すための所定のメッセージを表示部１０８に表示すると共に、キー入力部１０７を介して利用者から１文字毎に入力されるディスクタイトルを取得する。
【００６７】
処理制御部１０１は、利用者によるディスクタイトルの入力が終了したか否かを判別する（ステップＳ４２）。すなわち、処理制御部１０１は、ディスクタイトルの入力完了を表す指示情報がキー入力部１０７を介して、利用者により入力されたか否かを判別する。
【００６８】
処理制御部１０１は、ディスクタイトルの入力が終了していないと判別した場合、ステップＳ４１に処理を戻し、上述のステップＳ４１，Ｓ４２の処理を繰り返し実行する。一方、ディスクタイトルの入力が終了したと判別した場合、処理制御部１０１は、取得したディスクタイトルをＭＤ１０におけるＵ−ＴＯＣ１１に登録した後、続いてアーティスト名の入力があるか否かを判別する（ステップＳ４３）。すなわち、処理制御部１０１は、アーティスト名の入力の有無を確認するための所定のメッセージを表示部１０８に表示すると共に、キー入力部１０７を介して利用者から入力される指示情報を取得する。
【００６９】
処理制御部１０１は、アーティスト名の入力がないと判別した場合、データ入力処理を終了する。一方、アーティスト名の入力があると判別した場合、処理制御部１０１は、メモリ１０９に記憶されているアーティストテーブル９１の内容を順次表示する（ステップＳ４４）。すなわち、処理制御部１０１は、昇順にソートされているアーティストテーブル９１のアーティスト名等を表示部１０８に表示する。その際、処理制御部１０１は、選択しようとするアーティスト名を利用者が指定できるように、選択番号をも併せて表示部１０８に表示する。
【００７０】
処理制御部１０１は、アーティスト名が選択されたか否かを判別する（ステップＳ４５）。すなわち、処理制御部１０１は、表示部１０８に表示されたいずれかのアーティスト名に対応する選択番号がキー入力部１０７を介して利用者から入力されたか否かを判別する。
【００７１】
処理制御部１０１は、いずれかのアーティスト名が選択されたと判別した場合、選択されたアーティスト名をＭＤ１０のＵ−ＴＯＣ１１に登録し（ステップＳ４６）、データ入力処理を終了する。
【００７２】
このように、既に同一のアーティスト名がアーティストテーブル９１に記憶されている場合、利用者は、表示部１０８に表示されたアーティスト名の中から該当するものを選ぶことにより、アーティスト名をＭＤ１０に登録する。この結果、ディスク情報を容易に登録することができる。
【００７３】
一方、ステップＳ４５にて、いずれのアーティスト名も選択されていないと判別した場合、処理制御部１０１は、利用者から入力されるアーティスト名を１文字毎に取得する（ステップＳ４７）。すなわち、処理制御部１０１は、アーティスト名の入力を促すための所定のメッセージを表示部１０８に表示すると共に、キー入力部１０７を介して利用者から１文字毎に入力されるアーティスト名を取得する。
【００７４】
処理制御部１０１は、利用者によるアーティスト名の入力が終了したか否かを判別する（ステップＳ４８）。すなわち、処理制御部１０１は、アーティスト名の入力完了を表す指示情報が、キー入力部１０７を介して、利用者により入力されたか否かを判別する。
【００７５】
処理制御部１０１は、アーティスト名の入力が終了していないと判別した場合、ステップＳ４７に処理を戻し、上述のステップＳ４７，Ｓ４８の処理を繰り返し実行する。一方、アーティスト名の入力が終了したと判別した場合、処理制御部１０１は、取得したアーティスト名をＭＤ１０のＵ−ＴＯＣ１１に登録すると共に、更に、アーティスト名をアーティストテーブル９１に追加し、ソートした後に記憶する（ステップＳ４９）。すなわち、処理制御部１０１は、取得したアーティスト名をアーティストテーブル９１に追加し、アーティスト名を昇順にソート後、アーティストテーブル９１の内容を更新する。
【００７６】
処理制御部１０１は、アーティストテーブル９１を更新後、データ入力処理を終了する。このように、アーティストテーブル９１に存在しなかったアーティスト名が利用者により入力されると、アーティストテーブル９１に追加され記憶されるため、以降、このアーティスト名と同一のものを登録する際に、表示部１０８に表示されたアーティスト名から該当するものを選ぶことができるようになる。
【００７７】
次に、図８に示すデータ編集処理について説明する。
処理制御部１０１は、ディスクタイトルについての編集が指示されたか否かを判別する（ステップＳ５１）。すなわち、処理制御部１０１は、上述のテーブル更新処理にてディスク再生装置２から取得しているテキストデータに含まれるディスクタイトルについての編集指示がキー入力部１０７を介して、利用者により入力されたか否かを判別する。
【００７８】
処理制御部１０１は、ディスクタイトルについての編集が指示されなかったと判別した場合、後述するステップＳ５５に処理を進める。一方、ディスクタイトルについての編集が指示されたと判別した場合、処理制御部１０１は、メモリ１０９に記憶されているメッセージテーブル９２の内容を順次表示する（ステップＳ５２）。すなわち、処理制御部１０１は、図４に示すような各種メッセージの内容を表示部１０８に表示する。その際、処理制御部１０１は、選択しようとするメッセージを利用者が指定できるように、選択番号をも併せて表示部１０８に表示する。
【００７９】
処理制御部１０１は、メッセージが選択されたか否かを判別する（ステップＳ５３）。すなわち、処理制御部１０１は、表示部１０８に表示されたいずれかのメッセージに対応する選択番号がキー入力部１０７を介して利用者から入力されたか否かを判別する。
【００８０】
処理制御部１０１は、メッセージが選択されなかったと判別した場合、後述するステップＳ５５に処理を進める。一方、メッセージが選択されたと判別した場合、処理制御部１０１は、選択されたメッセージを付加したディスクタイトルをＭＤ１０のＵ−ＴＯＣ１１に登録する（ステップＳ５４）。
【００８１】
例えば、ディスク再生装置２から取得したテキストデータに含まれるディスクタイトルが「ＴＨＥ  ＶＥＲＲＹ  ＢＥＳＴ」であり、利用者から選択されたメッセージが図４に示す「ＮＯ．８」のメッセージであった場合、処理制御部１０１は、図９（ａ）に示すようなディスクタイトルをＵ−ＴＯＣ１１に登録する。すなわち、処理制御部１０１は、選択された「ＮＯ．８」のメッセージをサブタイトルとして、ディスクタイトル「ＴＨＥ  ＶＥＲＲＹ  ＢＥＳＴ」に付加し、このディスクタイトルをＵ−ＴＯＣ１１に登録する。
【００８２】
なおこの場合、利用者が、複数のメッセージを選択できるようにしてもよく、また、メッセージの一部を選択できるようにしてもよい。例えば、図４に示す「ＮＯ．８」のメッセージの一部と、「ＮＯ．２」のメッセージとが利用者から選択された場合、処理制御部１０１は、Ｕ−ＴＯＣ１１に図９（ｂ）に示すようなディスクタイトルを登録する。
【００８３】
このように、ディスクタイトルを編集する際に、メッセージテーブル９２から所望の情報を選ぶことにより、サブタイトルが付加されたディスクタイトルをＭＤ１０に登録する。この結果、ディスク情報を容易に登録することができる。
【００８４】
一方、上述のステップＳ５１にて、ディスクタイトルについての編集が指示されなかった場合、及び、ステップＳ５３にて、メッセージが選択されなかった場合、処理制御部１０１は、ディスク再生装置２から取得したテキストデータに含まれるディスクタイトルをそのままディスクタイトルとしてＵ−ＴＯＣ１１に登録する（ステップＳ５５）。
【００８５】
ディスクタイトルを登録した後、処理制御部１０１は、アーティスト名についての編集が指示されたか否かを判別する（ステップＳ５６）。
【００８６】
処理制御部１０１は、アーティスト名についての編集が指示されなかったと判別した場合、後述するステップＳ６０に処理を進める。一方、アーティスト名についての編集が指示されたと判別した場合、処理制御部１０１は、メモリ１０９に記憶されているメッセージテーブル９２の内容を順次表示する（ステップＳ５７）。
【００８７】
処理制御部１０１は、いずれかのメッセージが選択されたか否かを判別する（ステップＳ５８）。
【００８８】
処理制御部１０１は、メッセージが選択されなかったと判別した場合、後述するステップＳ６０に処理を進める。一方、メッセージが選択されたと判別した場合、処理制御部１０１は、選択されたメッセージを付加したアーティスト名をＭＤ１０のＵ−ＴＯＣ１１に登録する（ステップＳ５９）。
【００８９】
一方、上述のステップＳ５６にて、アーティスト名についての編集が指示されなかった場合、及び、ステップＳ５８にて、メッセージが選択されなかった場合、処理制御部１０１は、ディスク再生装置２から送られたテキストデータに含まれるアーティスト名をそのままＵ−ＴＯＣ１１に登録する（ステップＳ６０）。
【００９０】
このように、アーティスト名を編集する際に、メッセージテーブル９２から所望の情報を選ぶことにより、サブタイトルが付加されたアーティスト名をＭＤ１０に登録する。この結果、ディスク情報を容易に登録することができる。
【００９１】
上記説明したディスク情報登録処理にてＵ−ＴＯＣ１１に登録されたデータは、例えば、ＭＤにおける対象の楽曲が再生される際に表示される。すなわち、処理制御部１０１は、キー入力部１０７を介して利用者から入力された再生指示情報に応答して、信号処理回路１０２を制御し、選択されたトラック番号の楽曲データを再生すると共に、Ｕ−ＴＯＣ１１に登録された対象のディスクタイトルやアーティスト名等を読み出して表示部１０８に表示する。
【００９２】
上記の実施の形態では、データ入力処理において、アーティストテーブル９１を使用して、アーティスト名をＭＤ１０に登録する場合について説明したが、ＭＤ１０に登録する情報は、アーティスト名に限られず、他にトラックのタイトル、ジャンル名等に適用可能である。
【００９３】
また、上記の実施の形態では、データ編集処理において、メッセージテーブル９２を使用して、ディスクタイトル及びアーティスト名を編集してＭＤ１０に登録する場合について説明したが、ＭＤ１０に登録する情報は、これらアーティスト名等に限られず、他にトラックのタイトル、ジャンル名等に適用可能である。
【００９４】
また、上記の実施の形態では、ＭＤを録音・再生するディスク録音再生装置について説明したが、録音・再生対象の媒体はＭＤに限られず、他にＭＯ（Ｍａｇｎｅｔｏ−Ｏｐｔｉｃａｌ  ｄｉｓｋ）、ＤＶＤ−ＲＡＭ（デジタルビデオディスク−ラム）等を録音・再生するディスク録音・再生装置に適用可能である。更に、スマートメディア（商標）、メモリステック（商標）等の媒体を再生可能な録音再生装置であってもよい。
【００９５】
なお、この発明のディスク録音再生装置は、専用のシステムによらず、通常のコンピュータシステムを用いて実現可能である。例えば、ＭＤを録音・再生可能なＭＤドライブ等を備えたコンピュータに上述のいずれかを実行するためのプログラムを格納した媒体（フロッピーディスク、ＣＤ−ＲＯＭ等）から当該プログラムをインストールすることにより、上述の処理を実行するディスク録音再生装置を構成することができる。
【００９６】
また、コンピュータにプログラムを供給するための媒体は、通信媒体（通信回線、通信ネットワーク、通信システムのように、一時的かつ流動的にプログラムを保持する媒体）でも良い。例えば、通信ネットワークの掲示板（ＢＢＳ）に当該プログラムを掲示し、これをネットワークを介して配信してもよい。
そして、このプログラムを起動し、ＯＳの制御下で、他のアプリケーションプログラムと同様に実行することにより、上述の処理を実行することができる。
【００９７】
【発明の効果】
以上説明したように、本発明によれば、ＭＤ等にディスク情報を容易に登録することができる。
【図面の簡単な説明】
【図１】本発明の実施の形態に係るディスク録音再生装置を含んだシステムの一例を示すブロック図である。
【図２】ディスク録音再生装置にて録音・再生されるＭＤの一例を示す模式図である。
【図３】メモリに記憶されるアーティストテーブルの一例を示す模式図である。
【図４】メモリに記憶されるメッセージテーブルの一例を示す模式図である。
【図５】本発明の実施の形態に係るテーブル更新処理及びデータ送信処理を説明するためのフローチャートである。
【図６】本発明の実施の形態に係るディスク情報登録処理を説明するためのフローチャートである。
【図７】本発明の実施の形態に係るデータ入力処理を説明するためのフローチャートである。
【図８】本発明の実施の形態に係るデータ編集処理を説明するためのフローチャートである。
【図９】（ａ）、（ｂ）共に、ＭＤのＵ−ＴＯＣに登録されるディスクタイトルの具体例を示す模式図である。
【符号の説明】
１    ディスク録音再生装置
２    ディスク再生装置
３    通信ライン
４    ディジタルデータライン
１０  ＭＤ
１１  Ｕ−ＴＯＣ
１２  プログラムエリア
１０１，２０１  処理制御部
１０２，２０２  信号処理回路
１０３，２０３  スピンドルサーボ回路
１０４，２０４  光ピックアップ
１０５，２０５  トラッキングスレッドサーボ回路
１０６          ＣＤテキストデコーダ
１０７，２０７  キー入力部
１０８，２０６  表示部
１０９          メモリ
１１０          磁気ヘッドドライバ
１１１          バッファ
１１２，２０８  ＤＡＣ
【図１】
0003607132.tif 000002
【図２】
0003607132.tif 000003
【図３】
0003607132.tif 000004
【図４】
0003607132.tif 000005
【図５】
0003607132.tif 000006
【図６】
0003607132.tif 000007
【図７】
0003607132.tif 000008
【図８】
0003607132.tif 000009
【図９】
0003607132.tif 000010